(57)【要約】【課題】害虫防除成分揮散部材を成形するための金型を大きなものとしたり複雑なものとすることなく、金型の製作費用を安価なものとし、しかも害虫防除成分揮散部材に含有された揮散性の害虫防除成分の揮散効率を一層高め得る害虫防除具を提供する。【解決手段】揮散性の害虫防除成分が含有された平面で網目状の樹脂プレートを丸められて得られた害虫防除成分揮散部材１と、前記害虫防除成分揮散部材１の形状を保持する留め具２と、前記害虫防除成分揮散部材１と前記留め具２を収納し、複数の通風孔３１を有する収納容器３を備えるものとしている。【選択図】図２
2019170170.tif 000002
【特許請求の範囲】
【請求項１】
揮散性の害虫防除成分が含有された平面で網目状の樹脂プレートを丸められて得られた害虫防除成分揮散部材と、前記害虫防除成分揮散部材の形状を保持する留め具と、前記害虫防除成分揮散部材と前記留め具を収納し、複数の通風孔を有する収納容器とを備えることを特徴とする害虫防除具。
【請求項２】
前記留め具は、環状部材としており、その内周部において前記害虫防除成分揮散部材を保持していることを特徴とする請求項１に記載の害虫防除具。
【請求項３】
前記留め具の内周部には、内側方向に向かって突出した突出部を有することを特徴とする請求項１又は請求項２に記載の害虫防除具。
【請求項４】
前記留め具の外周部は、前記収納容器の内側部に当接していることを特徴とする請求項１から請求項３のいずれかに記載の害虫防除具。
【請求項５】
前記収納容器は、他の部材を挿通しておくための挿通孔を有することを特徴とする請求項１から請求項４のいずれかに記載の害虫防除具。
【発明の詳細な説明】
【技術分野】
【０００１】
本発明は、窓や玄関先などの使用空間において、害虫防除成分を徐々に揮散させることにより、蚊、ハエ、その他の害虫を防除する害虫防除具に関するものである。
【背景技術】
【０００２】
従来、この種の害虫防除具としては、例えば図５〜７に示したような、揮散性を有する薬剤を含有させた樹脂組成物から形成され、立体形状とした薬剤揮散体１１を、図８に示したような、プラスチック製の容器１２に収納して使用するようにしたものが存在する（特許文献１）。
【０００３】
従来の害虫防除具において、薬剤揮散体１１の立体形状は、外表面が前記樹脂組成物を棒状に形成した棒状体１３からなり、これを組み合わせて配置した構造としている。このような構造としては、図５に示されるような、前記棒状体１３を交差させて格子状とした構造が挙げられ、さらにこの立体の外表面の少なくとも一部が、図６、７に示されるような、波状構造体からなる構造等があげられるとしている。そして、図５、図６は、立体の形状として半球を用いた例であり、図７は、図６の半球の２つを底面どうしで合わせて球としたものであるとしている。さらに、立体形状を半球とした薬剤揮散体１１の底面周縁には環状枠体１４を設けたものとしている。
【０００４】
従来の害虫防除具において、薬剤揮散体１１を前記したような立体形状としているのは、このような害虫防除具が窓や玄関先などに吊り下げられて使用される場合に、害虫防除具を邪魔に感じたり、目障りに感じたりするのを防止するためであり、害虫防除具をコンパクト化すると共に表面積を確保し、揮散性薬剤の揮散効率を一層高め得るものとするためである。
【０００５】
さらに、従来の害虫防除具において、半球とした薬剤揮散体１１の底面周縁に環状枠体１４を設けたものとしているのは、この環状枠体１４どうしを係合又は接合することにより、二つの半立体構造体を合わせることが容易となるようにするためであり、また薬剤揮散体１１を容器１２に収納した場合に、この環状枠体１４の外周縁が容器１２の内面に接触することにより、薬剤揮散体１１の球面と容器１６の内面との接触面積を減らして、この容器への揮散性薬剤の移行を少なくするためでもある。
【先行技術文献】
【特許文献】
【０００６】
【特許文献１】特開２０１７−１３１１１７号公報
【発明の概要】
【発明が解決しようとする課題】
【０００７】
しかしながら、従来の害虫防除具において、薬剤揮散体１１の立体形状を前記したような半球または球の構造体にする場合、その構造体を一体成形で得るには、金型が必然的に大きなものとなり、また一体成形することなく棒状体を組み合わせて立体形状にするには、その組み合わせ作業に手間がかかるという課題を有していた。
【０００８】
さらに、従来の害虫防除具において、薬剤揮散体１１に前記したような環状枠体１４を設けた構造体にする場合、その環状枠体１４を設ける分、金型の構造が複雑なものになり、金型の製作費用が高くつくという課題を有していた。
【０００９】
そこで、本発明は、上記従来の課題を解決するものであり、薬剤揮散体である害虫防除成分揮散部材を成形するための金型を大きなものとしたり複雑なものとすることなく、金型の製作費用を安価なものとし、しかも害虫防除成分揮散部材に含有された揮散性の害虫防除成分の揮散効率を一層高め得る害虫防除具を提供することを目的としてなされたものである。
【課題を解決するための手段】
【００１０】
そのため、本発明の害虫防除具は、揮散性の害虫防除成分が含有された平面で網目状の樹脂プレートを丸められて得られた害虫防除成分揮散部材と、前記害虫防除成分揮散部材の形状を保持する留め具と、前記害虫防除成分揮散部材と前記留め具を収納し、複数の通風孔を有する収納容器とを備えるものとしている。
【００１１】
本発明の害虫防除具において、前記留め具は、環状部材としており、その内周部において前記害虫防除成分揮散部材を保持している。
【００１２】
本発明の害虫防除具において、前記留め具の内周部には、内側方向に向かって突出した突出部を有したものとしている。
【００１３】
本発明の害虫防除具において、前記留め具の外周部は、前記収納容器の内側部に当接している。
【００１４】
本発明の害虫防除具において、前記収納容器は、他の部材を挿通しておくための挿通孔を有したものとしている。
【発明の効果】
【００１５】
本発明の害虫防除具は、害虫防除成分揮散部材である樹脂プレートが平面形状であるため、この樹脂プレートを一体成形で得るのにも、大きな金型を必要とすることがなく、また樹脂プレートの網目形状も、その金型に容易に刻設することができ、金型が複雑なものになることなく、金型の製作費用が安価なものとなる。
【００１６】
さらに、本発明の害虫防除具は、前記平面形状とした樹脂プレートを丸めるだけで、この樹脂プレートを容易に立体形状にすることができる。
【００１７】
したがって、本発明の害虫防除具は、揮散性の害虫防除成分の揮散効率を一層高め得る害虫防除成分揮散部材を容易に安価に作製することができるものとなる。
【図面の簡単な説明】
【００１８】
【図１】本発明の害虫防除具の斜視図である。
【図２】図１中のＡ−Ａによる本発明の害虫防除具の断面図である。
【図３】図１に示す本発明の害虫防除具の分解斜視図である。
【図４】図１に示す本発明の害虫防除具の害虫防除成分揮散部材と留め具の斜視図である。
【図５】従来の害虫防除具の薬剤揮散体の一例（半球形としたもの）を示す斜視図である。
【図６】従来の害虫防除具の薬剤揮散体の他の例（半球形としたもの）を示す正面図である。
【図７】従来の害虫防除具の薬剤揮散体のさらに他の例（球形としたもの）を示す正面図である。
【図８】従来の害虫防除具の使用状態を示す斜視図である。
【発明を実施するための形態】
【００１９】
以下、本発明の害虫防除具を実施するための一実施形態を、図面に基づいて詳細に説明する。
【００２０】
本発明の害虫防除具は、図１〜３に示したように、害虫防除成分揮散部材１と、留め具２と、収納容器３とを備えるものとしている。
【００２１】
前記害虫防除成分揮散部材１は、揮散性の害虫防除成分が含有された平面で網目状の樹脂プレートを丸められて得られるものとしている。樹脂プレートは、可撓性樹脂基体からなるものとし、図示したものでは、角を丸めた略長方形としているが、後に述べるように収納容器３内に収納可能とした形状であればよい。さらに、この樹脂プレートは、底辺を湾曲させたり、凹凸形状などにして、丸めて収納容器３内に収納した場合に、樹脂プレートの底辺と収納容器３の底面３ａとの接触面積を減らすことができる。また、害虫防除成分揮散部材１は、一枚に限らず、複数枚として収納容器３内に収納できるようにしたものとしてもよい。
【００２２】
前記害虫防除成分揮散部材１において、樹脂プレートを網目状にしているのは、害虫防除成分の揮散面を広くするためであり、害虫防除成分を揮散させるのに充分なものにしている。また、樹脂プレートを丸めることによる副次的な効果として、外側の面が内側の面に比べて引っ張られるので、樹脂プレートに含有されている害虫防除成分が揮散し易くなる。さらに、複数の樹脂プレートを丸めるときに、それぞれ曲率半径を変えて、重ねて収納容器に収納することできるので、予め曲率半径の異なる害虫防除成分揮散部材を複数用意しなくても、害虫防除成分の揮散量の異なる害虫防除具を容易に作製することができる。なお、樹脂プレートの網目は、図示したものでは、菱目形状としているが、角目形状としたり、その他の各種の形状とすることができるのはいうまでもない。
【００２３】
前記害虫防除成分としては、ピレスロイド系化合物、有機リン系化合物、カーバメイト系化合物、ネオニコチノド系化合物、昆虫成長抑制化合物、植物精油などが用いられる。ピレスロイド系化合物としては、例えばペルメトリン、シフェノトリン、ビフェントリン、フェノトリン、プラレトリン、アレスリン、イミプロトリン、エムペントリンなどが挙げられる。有機リン系化合物としては、例えばフェニトロチオン、ジクロルボスなどが挙げられる。カーバメイト系化合物としては、例えばフェノブカルブなどが挙げられる。ネオニコチノド系化合物としては、例えばイミダクロプリド、アセタミプリド、チアメトキサム、クロチアニジン、ジノテフランなどが挙げられる。昆虫成長抑制化合としては、例えばピリプロキシフェン、ハイドロプレン、フェノキシカルブ、テフルベンズロン、フルフェノクスロン、ビストリフルロン、ヘキサフルムロン、トリフルムロン、ノバルロン、クロルフルアズロン、エトキサゾール、シロマジンなどが挙げられる。植物精油としては、例えばヒノキ、シダーウッド、ヒバ、ゼラニウム、タイムホワイト、レモングラス、ラベンダーなどが挙げられる。
【００２４】
前記留め具２は、前記害虫防除成分揮散部材１の形状を保持している。すなわち、この留め具２は、環状部材としており、その内周部２ａにおいて前記害虫防除成分揮散部材１を保持している。さらに、この留め具２の外周部２ｂは、前記収納容器３の内側部３ｂに当接している。図示した留め具２は、内周部２ａを円形にしており、丸めた害虫防除成分揮散部材１の外面部１ａがこの留め具２の内周部２ａに沿って保持し易いようにしているが、この内周部２ａは円形に限定されるものではない。また、図示した留め具２は、外周部２ｂを円形にしており、後に述べる略円筒状の収納部を形成している収納容器３の内側部３ｂに沿って当接し易いようにしているが、例えば収納部が六角筒状であれば、その外周部２ｂを六角形にするなど、収納容器３の収納部の形状に応じた形状にして、その収納容器３の内側部３ｂに沿って当接し易いようにすることができる。
【００２５】
さらに、前記留め具２の内周部２ｂには、内側方向に向かって突出した突出部２１を有したものとしている。この突出部２１は、前記害虫防除成分揮散部材１を丸めて保持する場合に、この害虫防除成分揮散部材１の網目に引っ掛けて、その害虫防除成分揮散部材１から留め具２を外れ難くするためのものである。
【００２６】
前記収納容器３は、前記害虫防除成分揮散部材１と前記留め具２を収納し、複数の通風孔３１を有するものとしている。この収納容器３は、合成樹脂製の二個の有底の略半円筒状の収納体３２を向かい合わせて嵌脱自在とし、嵌着時の内部に略円筒状の収納部を形成しており、この収納部に前記害虫防除成分揮散部材１と前記留め具２を収納するようにしている。図示したものでは、前記収納体３２の両開口側縁に設けた凹凸嵌合部３３によって嵌脱自在にしているが、この嵌脱自在構造は限定されるものではない。また、図示したように、前記収納体３２を両開口側縁に設けた凹凸嵌合部３３によって嵌脱自在とすることなく、一方の開口側縁どうしをヒンジ等により連結し、他方の開口側縁にのみ設けた凹凸嵌合部３３によって嵌脱自在としたものとしてもよい。
【００２７】
さらに、前記収納容器３は、下部に底面３ａとの間に隙間を有して害虫防除成分揮散部材１の支持体３４を突設したものとしている。この支持体３４は、害虫防除成分揮散部材１を構成する樹脂プレートの底辺を湾曲させたり、凹凸形状などにしていない場合においても、樹脂プレートの底辺全体が収納容器３の底面３ａに接触することなく、樹脂プレートの底辺の一部のみが接触して、収納容器３との接触面積を減らすためのものである。なお、図示した支持体３４は、前記収納体３２の双方の下部から突設した棒状体としているが、前記収納体３２の一方の下部から突設した棒状体とするなど、その形状や構成は限定されることはない。
【００２８】
前記収納容器３の通風孔３１は、前記略半円筒状の収納体３２にそれぞれ形成されており、害虫防除成分揮散部材１に含侵させた害虫防除成分を揮散させるのに充分なものにしている。また、これらの通風孔３１は、図示したものでは、それぞれの形状を同じ菱形にしているが、円形や三角形など他の幾何学形状にしてもよいことはいうまでもなく、色々な幾何学形状を混在させたものとしてもよい。
【００２９】
さらに、前記収納容器３は、フックや棒、紐などの他の部材を挿通して、これらの部材に引っ掛けたり、吊り下げておくための挿通孔３５を有したものとしている。この挿通孔３５は、図示したものでは、収納体３２の上方に二股突出部３２ａを形成し、これら二股突出部３２ａに嵌脱自在とした架橋体３６を掛け渡すことにより、略円形状に形成したものとしているが、その形状や形成方法は限定されるものではない。
【００３０】
以上のように構成された本発明の害虫防除具は、以下に述べるような状態で使用される。
【００３１】
先ず、本発明の害虫防除具を使用する当たり、図４に示したような平面状の害虫防除成分揮散部材１を丸めて、留め具２の内周部２ｂに差し込む。そして、この内周部２ｂの突出部２１を害虫防除成分揮散部材１の網目に引っ掛けて、害虫防除成分揮散部材１を留め具２に保持する。
【００３２】
次に、前記留め具２に保持した害虫防除成分揮散部材１を、収納容器３の一方の収納体３２に収納し、この収納体３２にもう一方の収納体３２を被せ、これら収納体３２を両開口側縁に設けた凹凸嵌合部３４によって嵌着する。さらに、前記収納体３２の二股突出部３３に架橋体３６を嵌着し、収納容器３に挿通孔３５を設ける。
【００３３】
そこで、前記収納容器３の挿通孔３５にフックや棒、紐などを挿通して、本発明の害虫防除具を窓や玄関先などに引っ掛けたり、吊り下げる。
【００３４】
すると、本発明の害虫防除具に風が当たったり、空気の対流などによって害虫防除成分揮散部材１に含侵させた害虫防除成分が徐々に揮散する。
【００３５】
この場合、前記収納容器３の内側部３ｂに沿って留め具２の外周部２ａが当接しているので、この収納容器３と害虫防除成分揮散部材１の間には、図２に示したように空間Ｓが生じ、この空間Ｓによって通気が良くなり、害虫防除成分揮散部材１の害虫防除成分の揮散が促進される。そして、前記空間Ｓが生じることによって、収納容器３と害虫防除成分揮散部材１が接触しないので、害虫防除成分揮散部材１の害虫防除成分が収納容器３に含侵して移行することなく、その害虫防除成分の揮散量が減ってしまうようなこともない。さらに、前記収納容器３の下部に突設した支持体３４に、害虫防除成分揮散部材１の底辺の一部のみが接触しているだけなので、この害虫防除成分揮散部材１の底辺からの害虫防除成分の収納容器３への含侵による移行も少なくすることができる。また、前記収納容器３の下部に支持体３４を突設していない場合においても、前記害虫防除成分揮散部材１の底辺を湾曲させたり、凹凸形状などにして、収納容器３の底面３ａとの接触面積を減らしたものでは、この害虫防除成分揮散部材１の底辺からの害虫防除成分の収納容器３への含侵による移行も少なくすることができる。
【００３６】
また、本発明の害虫防除具は、複数枚の害虫防除成分揮散部材１を用いたり、害虫防除成分揮散部材１の丸め方を変えることにより、害虫防除成分揮散部材１の表面積を調整することができるので、害虫防除成分の揮散量を増減させたり、有効期間を長くしたり短くしたりすることができる。
【符号の説明】
【００３７】
１  害虫防除成分揮散部材
２  留め具
２ａ  内周部
２ｂ  外周部
３  収納容器
３ｂ  内側部
２１  突出部
３１  通風孔
３５  挿通孔
【図１】
2019170170.tif 000003
【図２】
2019170170.tif 000004
【図３】
2019170170.tif 000005
【図４】
2019170170.tif 000006
【図５】
2019170170.tif 000007
【図６】
2019170170.tif 000008
【図７】
2019170170.tif 000009
【図８】
2019170170.tif 000010